(57)【特許請求の範囲】
【請求項１】
医療用装置であって、
外筒と、
前記外筒から液体を排出するために前記外筒内部に配置されるプランジャと、
前記外筒の外部に露出される突出位置と外筒の内部に収納される引き込み位置との間で動作自在な尖った先端を有する針部材及び前記針部材に固着されかつ第一のコネクタを有する針ハブとから構成される針アセンブリと、
前記針アセンブリと係合可能な針キャリアと、
前記針キャリアを後方へ付勢する付勢部材と、
前記付勢部材による付勢に抗して針キャリアを保持する保持部材と、
から成り、
前記針キャリアと保持部材のいずれか一方がカム、他方がフォロアを構成し、外筒内部の液体排出後もプランジャを前方へ軸方向に移動させることにより前記針キャリアが回転して保持部材からリリースされ、前記付勢部材により前記針部材の尖った先端が外筒内部に覆われるように針キャリアとプランジャが後方に付勢されるものである、
医療用装置。
【請求項２】
前記針キャリアが、前記第一のコネクタと結合可能な第二のコネクタを有するものである、請求項１に記載の医療用装置。
【請求項３】
前記針キャリアが、前記外筒との間に液密なシールを有するものでありかつ前記外筒の内部で動作自在である、請求項１に記載の医療用装置。
【請求項４】
前記保持部材が、前記液密なシールの前方に配置されるものである、請求項３に記載の医療用装置。
【請求項５】
前記フォロアが、放射状に外方向に突出して前記カムと係合するものである、請求項１に記載の医療用装置。
【請求項６】
前記カムが、前記保持部材に形成された溝から成るものである、請求項１に記載の医療用装置。
【請求項７】
前記針部材が引き込み位置に配置された後に、前記プランジャを後方位置に固定する留め部材をさらに有するものである、請求項１に記載の医療用装置。
【請求項８】
前記留め部材が、前記プランジャと係合するロッキングリブである、請求項７に記載の医療用装置。
【請求項９】
前記第一のコネクタがルアーコネクタである、請求項１に記載の医療用装置。
【請求項１０】
前記プランジャが平面状の前端を有し、前記針キャリアの後端が該プランジャの前端と係合するように構成されているものである、請求項１に記載の医療用装置。
【請求項１１】
付勢部材が前記針キャリアと前記保持部材との間に配置されるものである、請求項１に記載の医療用装置。
【請求項１２】
前記保持部材を、前記外筒と相対的に円周位置に整列させる機能をさらに有する、請求項１に記載の医療用装置。
【請求項１３】
前記保持部材を円周位置に整列させる機能が、位置合わせ用溝である、請求項１２に記載の医療用装置。
【請求項１４】
前記付勢部材が、前記針部材を引き込み位置に引き込む際に、プランジャを針キャリアと共に後方移動させることができるように動作自在である、請求項１〜１３のいずれかに記載の医療用装置。
【発明の詳細な説明】
【０００１】
【発明の属する技術分野】
本発明は、薬用液体の注入を患者に行う、または患者の血液など液体の吸引を行うための注射器（１０）に関する。より詳しくは、この発明は、装置を再使用不能にし安全に処分できるようにするための引き込み可能な針機構を有する装置に関する。この出願は、この明細書で引用することによりこの明細書に組み込まれる米国仮出願第６０／１６９，４３０号に対する優先権を主張するものである。
【０００２】
各種タイプの医療用装置において、診断または治療のため患者の皮膚に穴を開ける目的で針部材が採用されている。このような装置の一つに皮下注射器がある。針部材を患者から抜いた後の有針医療用装置の取り扱いは、不慮の針刺しにより多様な病原体、最も顕著なものとしてヒト免疫不全ウイルス（ＨＩＶ）等が未感染の医療従事者へ伝染してしまう原因になり得る。この理由から、使用後に汚染された針部材が収納される薬物注入用または体液採取用の装置を提供することが望まれている。
この出願の発明に関連する先行技術文献情報としては、以下のものがある（国際出願日以降国際段階で引用された文献及び他国に国内移行した際に引用された文献を含む）。
【特許文献１】
米国特許第３，６５８，０６１号明細書
【０００３】
【発明の実施の形態】
第１装置
図１〜５を参照すると、引き込み可能な針部材６０を有する注射器１０が図示されている。この注射器は、使用中リリース自在に前記針部材を保持する針リテイナー４０を含む。プランジャ３５は、薬物を注射器へ吸引し薬物を注射器から患者へ注入するよう動作可能である。注射終了時、このプランジャ３５は、前記針部材を引き込み用にリリースするため、針リテイナー４０と係合する。次にバネ５５は、汚染された針部材が注射器１０内にシールドされるよう、針部材６０を後方移動させる。
【０００４】
注射器１０は、一般に中空内部を有するシリンダ型の外筒２０を含む。この外筒の後端は、プランジャ３５を受容するため開放されている。この外筒の前端は全体として閉塞しており、針部材６０が内部を貫通して突出するための小径の開口部を有している。一対の保持穴部２２は、外筒側部の外筒前端に隣接して形成されている。これらの保持穴部２２は、針リテイナー４０と協動して引き込み前に針部材６０を保持する。一対のロックアウト開口部２４は、前記外筒側部の外筒後端に隣接して形成されている（図５を参照）。これらのロックアウト開口部２４は、一対のロッキングアーム５０と協動して針部材を引き込み位置にロックする。
【０００５】
軸方向に長い胴部３０は、外筒２０内に配置されている。この胴部は、プランジャ３５と協動して、薬物の注射器への吸引と注射器からの吐出とを達成する。詳しくは、胴部３０は胴部の後端に配置されたシール３２を含む。針部材６０は、針部材の前方の尖った先端が胴部から前方へ突出し針部材の後端がシール３２に隣接した胴部後端の開口部へ突出するよう、胴部３０にエポキシなどの接着剤で固着されている。この胴部は全体として中空内部を有し、この胴部には胴部の中空部分内にバネディスク３４が取り付けられている。このバネディスク３４は、バネ５５の後端が当たる支持表面を提供する。
【０００６】
プランジャ３５は軸方向に長く中空内部を有する略円柱型をしており、開放された前端と閉塞した後端とを有する。プランジャ３５の内部は、薬用液体を受容するためのキャビティ３７を形成している。このキャビティ３７の直径は、胴部３０上のシール３２の外径と協動してプランジャ３５と胴部３０との間に液密なシールを提供するサイズになっている。プランジャ３５の前端は、針リテイナー４０を下記のように係合させるための周縁を形成している。拇指パッド３９は、プランジャの手動操作を容易にするためにプランジャ３５の後端に形成されている。詳しくは、拇指パッド３９は、前記プランジャを進行させて液体を注射器から吐出するためにユーザが押すことのできる表面を形成している。
【０００７】
針部材６０は、この針部材が使用のため露出される突出位置と、この針部材の尖った先端への不慮の接触を防止するためこの針部材が外筒内にシールドされる引き込み位置との間で動作自在である。バネ５５は針部材６０を囲んでおり、この針部材とそれに取り付けられた胴部３０を引き込み位置へ向かって後方に付勢する。針リテイナー４０は、針部材とそれに取り付けられた胴部とを突出位置でリリース自在に保持する。
【０００８】
針リテイナー４０は、少なくとも１つの、好ましくは２つの放射状変形アーム部材４２を有する。これらアーム部材４２の端は、バネ５５の付勢力に抗して前記針部材を保持するため、外筒内で保持穴部２２を係合するラッチを形成している。針リテイナーアーム部材４２は胴部３０に連結しており、この胴部と一体的に形成されていることが好ましい。針リテイナーアーム部材４２の少なくとも一部は、外筒２０の中心軸を横断する方向に延出している。各針アーム部材のこの横断部分は、プランジャ３５の前方周縁と下記のように協動する係合表面を形成する。
【０００９】
本装置は上記のように構成されているため、以下のように動作する。図１は、発送時の注射器１０を示したものである。針部材の無菌性を保つため、針部材カバー１５が針部材６０の前端を収納している。
【００１０】
図２を参照すると針部材カバー１５は取り外されており、針部材の尖った先端をバイアルへ挿入しプランジャ３５を後方移動させることにより、薬物をバイアルから注射器へ吸引することができる。シール３２とプランジャ３５内部との間の液密なシールは、プランジャが後方移動されるに伴い減圧部を生じる。それに応答して、液体はバイアルから前記針部材内を経て、針部材と液体流通自在なプランジャキャビティ３７へ流れ込む。注射器１０の吸引のためのこの手続きは、典型的な非安全注射器の吸引のための手続きと本質的に同じである。ただし、この実施例では、薬物は典型的非安全注射器のように外筒２０に吸引されるのではなく、プランジャ３５へ吸引される。
【００１１】
薬物が注射器へ吸引された後、拇指パッド３９を押してプランジャ３５を前方に移動させることにより、薬物を患者へ注入することができる。薬物は、プランジャキャビティ３７から針部材６０内を流通して患者の体内へと流れ込む。シール３２の後端から針リテイナー４０の作動表面までの距離は、プランジャの周縁からプランジャ内のキャビティ３７の端壁までの距離に等しい。このようにして、注射終了時（すなわち、実質的にすべての薬物がプランジャキャビティ３７から吐出された時点で）、図３に示すとおり、プランジャ３５の周縁は針リテイナーアーム部材４２と係合し、このアーム部材が外筒２０内で保持穴部２２から外れるようアーム部材を放射状に内方向へ移動させる。
【００１２】
図４を参照すると、針リテイナー４０がリリースされた後、バネ５５は胴部３０を後方移動させている。針部材６０は胴部３０に取り付けられているため、胴部とともに後方移動される。さらに、プランジャは胴部３０と係合しているため、このプランジャも胴部とともに後方移動される。
【００１３】
図５は、図４の断面に直角な平面についての断面図である。この図は、注射器１０のロッキング機能の詳細を示している。詳しくは、少なくとも１つの、好ましくは２つの放射状変形ロッキングアーム５０が胴部３０から放射状に外方向へ突出している。シール３２の後端とロッキングアーム５０との距離は、注射終了時プランジャがロッキングアームに係合しないよう、プランジャの前方周縁からプランジャキャビティ３７の後方壁までの距離より大きくなっている。胴部３０が前方位置に配置される際、ロッキングアーム５０は、図５に示された位置と相対的に放射状に内方向へ移動され、外筒の内部に形成されたアラインメントグルーブ（位置合せ用溝）２６に係合する。このアラインメントグルーブ２６は軸方向に延びた溝で、外筒の軸に対し実質的に平行である。胴部３０と針部材６０とが突出位置から引き込まれるに伴い、ロッキングアーム５０はアラインメントグルーブ２６と係合して前記胴部と前記針部材との引き込みを導く。これらの溝とロッキングアームとは、ロッキングアームが外筒と相対的に回転するのを防止する。アラインメントグルーブ２６は、引き込み終了時に、ロッキングアームが放射状に外方向へ移動されてロックアウト開口部２４に係合するよう、ロックアウト開口部２４と交わる。
【００１４】
第２装置
図６〜１０を参照すると、第２安全医療用装置が図示されている。この装置１１０は、汚染された針部材が使用後不慮の接触から守られるよう引き込み可能な針部材１６０を有する注射器である。
【００１５】
この注射器１１０は、全体として開放されている前端と全体として開放されている後端とを有するシリンダ型外筒１２０を含む。外筒１２０の前端は、針キャリア１４０をリリース自在に保持するスロット付きカラー１３０を受容するためのソケット１２２を形成する。プランジャ１５０は、外筒内で軸方向に移動される。注射終了時、プランジャ１５０は、針部材１６０の引き込みを自動的に作動させる針キャリア１４０と係合する。
【００１６】
この針部材１６０は、突出位置と引き込み位置との間で動作自在な尖った先端を有する。突出位置において、この針部材は、薬物の注入を容易にするため外筒１２０から前方に突出する。引き込み位置において、この針部材の尖った先端は、この針部材の汚染された尖った先端の不慮の接触を防止するため、外筒１２０内に収納される。バネ１５５は、針部材１６０を引き込み位置方向へ付勢する。
【００１７】
図１０に示すとおり、針部材１６０は針ハブ１６２に固着されていることと、医療従事者に現在使用されている標準的針アセンブリに類似した針アセンブリを形成していることとが望ましい。針ハブ１６２は、この針アセンブリを針キャリア１４０に取り付けるため、ルアーコネクタ（器具やチューブなどを連結するためのアダプタ）などのコネクタを有している。
【００１８】
針キャリア１４０は、前記針アセンブリを係合しバネ１５５の付勢に抗して針アセンブリをリリース自在に保持するのに適合している。針キャリア１４０は、針ハブ１６２と協動して針ハブと針キャリアとの間に液密なシールを提供するよう構成されたルアーコネクタなどのコネクタ１４６を含む。この針キャリアは、スロット付きカラー１３０と協動して、下記でより詳細に説明するとおり突出位置で針部材１６０をリリース自在に保持するピン１４２をさらに含む。また、この針キャリアは、図１０に示すピン１４２から外周に間隔を置いて配置された第２ピンを有し、これら２つのピンが針キャリアの外周に関して対称的に配置されており、どちらのピンもカラー１３０と協動することが好ましい。
【００１９】
シーリングリング１４４は、針キャリアと外筒１２０との間に液密なシールを提供するため、針キャリア１４０の後端に取り付けられている。このシーリングリング１４４は、液体が外筒１２０の前端から漏出するのを防止する。このようにして、シーリングリング１４４は、液体キャビティ用の前方壁を薬物が収納される外筒内に形成する。
【００２０】
針キャリア１４０は略円柱型の要素で、外筒の内部と前記針部材との間の液体流通路として作用する貫通孔を有する。このようにして、針アセンブリ１６０および１６２が針キャリアに取り付けられている場合、前記針部材は外筒内の液体キャビティと液体流通自在になっている。
【００２１】
バネ１５５はスロット付きカラー１３０と針キャリア１４０との間に配置されており、針キャリアを後方へ付勢する。バネ１５５は針キャリア１４０を囲んでおり、このバネはシーリングリング１４４に隣接する針キャリアの後端から放射状に外方向へ突出している外周フランジと係合する。
【００２２】
図８Ａおよび図８Ｂを参照すると、スロット付きカラー１３０の細部がより詳細に画図示されている。図８Ａに示すとおり、スロット付きカラー１３０は略円柱型をしたカラーで、このカラーを外筒に固着するため、外筒１２０の前端でソケット１２２と係合している。詳しくは、ソケット１２２は外筒の前端に環状隆起１２３を有しており、この前方の隆起から軸方向に距離を置いて環状フランジ１２４が配置されている。環状隆起１２３および環状フランジ１２４は、カラーをソケット１２２内に保持するよう動作する。また、スロット付きカラー１３０は、外筒１２０と相対的に前記スロット付きカラーを所定の円周位置に整列させるアラインメントキー１３１を有することが好ましい。このアラインメントキー１３１は、外筒のソケット１２２に形成された軸方向の溝と協動する。スロット付きカラー１３０と外筒との連結は、上記でスナップフィットまたはプレスフィット係合と説明されているが、前記スロット付きカラーは他の多数の方法でも外筒に固着することが可能である。例えば、このスロット付きカラーはエポキシなどで外筒１２０に接着することができる。
【００２３】
スロット付きカラー１３０は、針キャリア１４０に取り付けられた保持ピン１４２と協動するピンスロット１３２を少なくとも１つ、好ましくは２つ有している。ピンスロット１３２は注射器の軸に対し横方向に配置されている。図８Ａおよび図８Ｂを参照すると、軸方向の溝１３４はピンスロット１３２と交差する。ピンスロット１３２の後方縁は、図８Ｂに示すように、ピン１４２と係合して針キャリアを保持する段部を形成する。軸方向の溝１３４の深さは、ピンスロット１３２へ突出するピン１４２の長さより大きい。従って、ピン１４２が軸方向の溝１３４と円周方向について整列されるよう針キャリア１４０が捻られた場合、針キャリア１４０はカラー１３０と相対的に軸方向に後方へ自由に移動することができる。
【００２４】
これにより、注射器１１０は次のように動作する。使用前、ユーザは針アセンブリを選択し、これを針キャリア１４０に取り付ける。次に、プランジャを後方移動させることにより、投与量1回分の薬物が注射器へ吸引される。プランジャ１５０は、外筒の内壁と液密なシールを形成するピストン１５２を含む。従って、プランジャを後方移動させると外筒内部に減圧部が形成され、プランジャが後方移動されるに伴い薬物は外筒内へ吸引される。
【００２５】
注射終了時、プランジャ１５０は針キャリア１４０と係合する。プランジャ１５０を継続して前方へ軸方向に移動させると、針キャリア１４０は前方へ推進される。前記ピン１４２と角度付きピンスロット１３２との係合はカムとフォロアとのように動作し、前記ピンが軸方向の溝１３４に整列されるまで針キャリアを回転させる。次に、前記バネは針キャリア１４０とそれに取り付けられた針部材１６０とを引き込み位置まで後方へ推進する。また、プランジャ１５０は針キャリア１４０に係合されているため、プランジャ１５０も針部材が引き込まれるに伴い後方移動される。前記外筒は、外筒後端に隣接した外筒内壁から放射状に内方向へ突出するロッキングリブ１２６を含むことが好ましい。このロッキングリブ１２６はプランジャ１５０に係合し、プランジャの継続的な後方移動を妨げるため、留め部として機能する。このように、ロッキングリブ１２６はプランジャ１５０と、針キャリア１４０と、針部材１６０とが前記バネにより外筒の後端外へ移動されるのを防止する。
【００２６】
第３装置
図１１〜１５を参照すると、第３装置３１０が示されている。この装置３１０は、針部材３６０を使用後に覆うためのシールド３３０を有する注射器である。この注射器は、一般に使用されている非安全注射器に類似した外筒３２０とプランジャ３４０とを含む。ただし、外筒３２０とプランジャ３４０とは、注射終了時、プランジャにかかる継続的な軸方向の力がシールド３３０をリリースし、不慮の接触防止用に汚染された針部材をシールドするため、バネ３５５が使用済み針部材３６０を越えてシールド３３０を前方に移動するよう構成されている。
【００２７】
外筒３２０は中空内部を有する略円柱型をしており、液体流通路を形成する小径の開口部を伴った全体として閉塞した前端と、プランジャ３４０を受容するため実質的に開放された後端とを有している。このプランジャ３４０は、注射器への薬物吸引用および注射器から患者への薬物注入用に外筒の内壁と液密に係合したピストン３４４を含む。コネクタ３２２は外筒３２０の前端上に形成されており、針部材３６０を外筒に取り付けるよう構成されている。このコネクタ３２２はねじ込み式ルアーコネクタであることが好ましい。
【００２８】
針部材３６０は、非安全医療用装置とともに一般に使用されている針アセンブリに類似した針アセンブリを形成するため、針ハブ３６２に固着されている。詳しくは、針ハブ３６２は、針アセンブリを外筒３２０に取り付けるため、コネクタ３２２と協動するのに適合している。この針ハブは、針アセンブリと外筒との間に液密なシールを提供するメス型ルアーコネクタを有することが好ましい。このようにして、針アセンブリは、針部材が外筒の内部と液体流通自在になるようユーザにより外筒へ容易に取り付けることができる。
【００２９】
外筒３２０は、コネクタ３２２に隣接したシールドロック３２４を含む。このシールドロック３２４は、シールド３３０を使用後突出位置に保持するよう動作する外周フランジである。シールドロック３２４は外筒３２０と一体的に形成することが可能だが、この実施例ではシールドロック３２４は、ルアーコネクタ３２２の周辺に配置されたカラーの外面上に形成されている。フランジ３２６は、外筒の後端に隣接した外筒３２０外面から放射状に外方向へ突出している。
【００３０】
シールド３３０は、このシールドと外筒とが好ましくは同軸になるよう外筒３２０に被せられた略円柱型のスリーブである。このシールドは引き込み位置および突出位置の２つの位置間で動作自在である。引き込み位置では、針部材３６０は使用するため露出されている。突出位置では、前記シールドは不慮の針刺しを防止するため前記針部材の尖った先端を収納する。バネ３５５は外筒とシールドとの間に配置されており、シールドを突出位置方向へ付勢する。詳しくは、このバネはフランジ３２６と外筒の後端との間に配置されており、環状フランジ３３４は、図１１に示すとおり、シールド３３０の内部から放射状に内方向へ突出している。
【００３１】
シールド３３０の後端に取り付けられた少なくとも１つの、好ましくは２つのシールドラッチ３３２は、シールドを引き込み位置でリリース自在に保持する。このシールドラッチ３３２は、外筒３２０の後端に形成された外周フランジ３２６に係合する放射状変形アーム部材である。シールドラッチ３３２は、注射器の軸を角度付きで横切る後方に面した作動表面を有する。この作動表面は、プランジャ３４０上のボタンキャップ３４５と協動して下記でさらに説明するとおりシールド３３０をリリースする。
【００３２】
プランジャ３４０は、外筒内で軸方向に移動自在である。プランジャの前端に取り付けられたピストン３４４は、外筒の内面と液密なシールを形成する。プランジャ３４０の後端は放射状に外方向へ突出する拇指パッド３４２を有する。ボタンキャップ３４５は拇指パッド３４２に取り付けられている。
【００３３】
ボタン３４５は略円柱型をしたカップ形状の要素で、拇指パッド３４２の直径に対応する内径を有する。ボタンキャップ３４５は、第１位置と第２位置との間で動作自在である。デテント（戻り止め）３４７は、ボタンキャップが第１位置から第２位置まで移動するのを妨げるため、ボタンキャップの内面から放射状に内方向へ突出している。このデテント３４７は拇指パッド３４２と協動して、プランジャを前方に移動させるため注射中ボタンキャップに加えられる前方への軸方向の力に応答してボタンキャップが第２位置へ移動されるのを防止するのに十分な保持力を提供する。
【００３４】
図１２を参照すると、前記注射器は、ピストン３４４が外筒の前端壁に係合するよう前記プランジャが完全に外筒内に挿入されている位置を図示している。これはプランジャ注射終了時の位置である。図１１において、ボタンキャップ３４５はその第１位置に示されている。この位置では、ボタンキャップの前方周縁はシールドラッチ３３２と係合しない。注射終了時、ボタンキャップ３４５は、デテント３４７と拇指パッド３４２との係合により提供される保持力を上回る十分な前方への軸方向の力をボタンキャップに加えることにより、第２位置へ移動させることができる。
【００３５】
図１４を参照すると、ボタンキャップ３４５が第２位置へ移動されるに伴い、ボタンキャップの前方周縁はシールドラッチ３３２の作動表面に係合し、シールドラッチをフランジ３２６との係合から外し放射状に外方向へ変形させる。次にバネ３５５は、針部材１６０を覆うため、シールド３３０を前方へ突出位置まで移動させる。このシールドは、図１３に示すとおり、シールドの側壁に形成された一対の放射状変形ラッチの形でシールドリテイナー３３５を含む。このシールドが前方に移動されるに伴い、前記シールドリテイナーは外筒３２０の前端でシールドロック３２４と係合してシールドを突出位置でロックすることにより、針部材１６０の再露出を防止する。
【００３６】
図１６〜２０を参照すると、第４安全医療用装置が図示されている。この装置は安全針アセンブリ４２０と注射器４１０との組み合せである。注射器４１０は、一般に使用されている非安全皮下注射器と同じものである。針アセンブリ４２０は、変形なしで安全針アセンブリとともに使用できるよう、現在市販されている注射器４１０と協動するのに適合している。詳しくは、針アセンブリ４２０は、尖った先端を有する針部材４３０と、汚染された針部材への不慮の接触を防ぐため使用後に針部材を覆いながら延出するシールド４４０とを含んでいる。
【００３７】
注射器４１０は、中空内部を有する円柱型をした外筒４１５と、薬物を外筒へ吸引する、または液体を外筒から吐出するため外筒内を往復動するよう移動自在なプランジャ４１７とを含む。外筒４１５の前端は、前記針アセンブリを使用前に外筒に取り付けるため、ルアーコネクタなどのコネクタ４１９を有する。この実施形態では、プランジャ４１７は、皮下注射器に連結して使用する標準的プランジャとして図示されており、このプランジャは軸方向に長いプランジャロッドと、プランジャロッドの前端に取り付けられたピストンとを有する。ただし、この針アセンブリ４２０は、血液試料を採取しガイドワイヤを挿入するために使用される注射器とともに使用することが望ましい場合もある。その場合、詳しくは、前記プランジャは、ガイドワイヤを受容するための孔部と、液体が注射器から後部に漏出するのを防ぐためのバルブとを含む。使用中、ガイドワイヤはプランジャ内を貫通して挿入され、針部材４３０内を貫通して患者体内へ供給される。
【００３８】
針アセンブリ４２０は、針アセンブリ４２０を外筒４１５に取り付けるための針ハブ４２５を含んでいる。針ハブ４２５は、外筒のコネクタ４１９と協動して針アセンブリと注射器との間に液密なシールを形成するルアーコネクタなどのコネクタを含む。針部材４３０は針ハブ４２５に固着されている。
【００３９】
シールド４４０は、図１７に示すとおり前記針部材が使用のため露出される引き込み位置と、図１８に示すとおり前記シールドが針部材の尖った先端を覆う突出位置との間で動作自在である。バネ４３５は、シールド４４０を突出位置方向へ付勢する。シールドリテイナー４４５は、バネ４３５の付勢力に抗してシールド４４０を引き込み位置でリリース自在に保持する。
【００４０】
シールドリテイナー４４５は、少なくとも１つの、好ましくは２つの放射状変形アーム部材４４７を有する。このアーム部材４４７は、注射器の中心軸を横切るよう配置された作動部分を有する。このアーム部材の前端は、シールド４４０の前端に形成されたリテイナー開口部４４２と協動するラッチを形成している。アーム部材４４７の両端は、針ハブ４２５上に形成された第１ロッキング隆起４２６および第２ロッキング隆起４２７と協動する放射状に突出したフランジ４４０を形成している。詳しくは、第１ロッキング隆起４２６と第２ロッキング隆起４２７は、針ハブ４２５の内面に形成されており、放射状に内方向へ突出している。
【００４１】
ロッキング隆起４２６とロッキング隆起４２７は、これらのロッキング隆起が１方向性のロックとして動作しアーム部材４４７のロッキングフランジ４４９が針ハブと相対的に後方移動するが前方移動はしないよう、テーパーがかかった前方端と注射器内面に垂直な後方縁とを有している。このように、ロッキング隆起４２６とロッキング隆起４２７はロッキングフランジ４４９と協動してアーム部材４４７を第１軸位置と第２軸位置とに保持する。
【００４２】
針ハブ４２５の前方端は、保持アーム４４７の作動部分と協動するよう構成された周縁を形成している。装置の使用中、シールドリテイナー４４５は、図１６と図１９とに示すとおり、ロッキングフランジ４４９が第１ロッキング隆起４４６に係合するよう配置される。図１７と図１９とを参照すると、使用後にシールドを後方へ引くことにより、シールドリテイナー４４５が針ハブ４２５と相対的に後方移動される。これによりロッキングフランジ４４９が移動されて第２ロッキング隆起４２７と係合し、さらにこれによって実質的かつ永久的にシールドリテイナー４４５が後方位置へロックされる。また、使用後に前記シールドを後方へ引くと、前記針ハブが保持アーム４４７をシールド内の開口部４４２との係合から外して放射状に内方向へ移動させるよう、保持アーム４４７が移動されて針ハブ４２５の前方周縁と係合する。次にバネ４３５は、図１８に示すとおり、前記針部材を覆うためシールド４４０を突出位置まで前方移動する。
【００４３】
第４装置
図１６〜２０を参照すると、第４安全医療用装置が図示されている。この装置は、安全針アセンブリ４２０と注射器４１０との組み合せである。注射器４１０は、一般に使用されている 非安全皮下注射器と同じものである。針アセンブリ４２０は、変形なしで安全針アセンブリとともに使用できるよう、現在市販されている注射器４１０と協動するのに適合している。詳しくは、針アセンブリ４２０は、尖った先端を有する針部材４３０と、汚染された針部材への不慮の接触を防ぐため使用後に針部材を覆いながら延出するシールド４４０とを含んでいる。
【００４４】
注射器４１０は、中空内部を有するシリンダ型の外筒４１５と、薬物を外筒へ吸引する、または液体を外筒から吐出するため外筒内を往復動するよう移動自在なプランジャ４１７とを含む。外筒４１５の前端は、前記針アセンブリを使用前に外筒に取り付けるため、ルアーコネクタなどのコネクタ４１９を有する。この実施形態では、プランジャ４１７は、皮下注射器に連結して使用する標準的プランジャとして図示されており、このプランジャは軸方向に長いプランジャロッドと、プランジャロッドの前端に取り付けられたピストンとを有する。ただし、この針アセンブリ４２０は、血液試料を採取しガイドワイヤを挿入するために使用される注射器とともに使用することが望ましい場合もある。その場合、詳しくは、前記プランジャは、ガイドワイヤを受容するための孔部と、液体が注射器から後部に漏出するのを防ぐためのバルブとを含む。使用中、ガイドワイヤはプランジャ内を貫通して挿入され、針部材４３０内を貫通して患者体内へ供給される。
【００４５】
針アセンブリ４２０は、針アセンブリ４２０を外筒４１５に取り付けるための針ハブ４２５を含んでいる。針ハブ４２５は、外筒のコネクタ４１９と協動して針アセンブリと注射器との間に液密なシールを形成するルアーコネクタなどのコネクタを含む。針部材４３０は針ハブ４２５に固着されている。
【００４６】
シールド４４０は、図１７に示すとおり前記針部材が使用のため露出される引き込み位置と、図１８に示すとおり前記シールドが針部材の尖った先端を覆う突出位置との間で動作自在である。バネ４３５は、シールド４４０を突出位置方向へ付勢する。シールドリテイナー４４５は、バネ４３５の付勢力に抗してシールド４４０を引き込み位置でリリース自在に保持する。
【００４７】
シールドリテイナー４４５は、少なくとも１つの、好ましくは２つの放射状変形アーム部材４４７を有する。このアーム部材４４７は、注射器の中心軸を横切るよう配置された作動部分を有する。このアーム部材の前端は、シールド４４０の前端に形成されたリテイナー開口部４４２と協動するラッチを形成している。アーム部材４４７の両端は、針ハブ４２５上に形成された第１ロッキング隆起４２６および第２ロッキング隆起４２７と協動する放射状に突出したフランジ４４０を形成している。詳しくは、第１ロッキング隆起４２６と第２ロッキング隆起４２７は、針ハブ４２５の内面に形成されており、放射状に内方向へ突出している。
【００４８】
ロッキング隆起４２６とロッキング隆起４２７は、これらのロッキング隆起が１方向のみのロックとして動作しアーム部材４４７のロッキングフランジ４４９が針ハブと相対的に後方移動するが前方移動はしないよう、テーパーがかかった前方端と注射器内面に垂直な後方縁とを有している。このように、ロッキング隆起４２６とロッキング隆起４２７はロッキングフランジ４４９と協動してアーム部材４４７を第１軸位置と第２軸位置とに保持する。
【００４９】
針ハブ４２５の前方端は、保持アーム４４７の作動部分と協動するよう構成された周縁を形成している。装置の使用中、シールドリテイナー４４５は、図１６と図１９とに示すとおり、ロッキングフランジ４４９が第１ロッキング隆起４４６に係合するよう配置される。図１７と図１９とを参照すると、使用後にシールドを後方へ引くことにより、シールドリテイナー４４５が針ハブ４２５と相対的に後方移動される。これによりロッキングフランジ４４９が移動されて第２ロッキング隆起４２７と係合し、さらにこれによって実質的かつ永久的にシールドリテイナー４４５が後方位置へロックされる。また、使用後に前記シールドを後方へ引くと、前記針ハブが保持アーム４４７をシールド内の開口部４４２との係合から外して放射状に内方向へ移動させるよう、保持アーム４４７が移動されて針ハブ４２５の前方周縁と係合する。次にバネ４３５は、図１８に示すとおり、前記針部材を覆うためシールド４４０を突出位置まで前方移動する。
【００５０】
第５装置
図２１〜２２を参照すると、第５安全医療用装置が図示されている。この装置は、上記で図示および説明されている注射器４１０などの協動コネクタを有する多数の標準的医療用装置と連結して動作自在な針アセンブリ５１０である。ただし、この針アセンブリ５１０は、ガイドワイヤ５１５を患者に挿入するための医療用装置に連結した用途に特に適している。
【００５１】
針アセンブリ５１０は、２つの部分、すなわち後方ハウジング５２０と前方ハウジング５２５から構成されていることが好ましいハウジングを有する。この針アセンブリは針部材４４５も有し、この針部材はこの針部材が使用のため露出される引き込み位置と、この針部材の尖った先端が使用後不慮の接触から守られるよう突出位置との間で動作自在である。バネ５４０は針部材を引き込み位置方向へ後方に付勢し、ラッチ４３５はバネの付勢力に抗して針部材を突出位置でリリース自在に保持する。
【００５２】
バネ５４０は、針部材の長さ方向に沿って針部材の後端から前方へ向かって針部材５４５に直接接着されている。このバネはエポキシで針部材に接着されていることが好ましい。このバネはその後方縁がラッチ５３５に支持されることによって針部材５４５を保持している。手動での作動が可能な押しボタン５３７は、ラッチ５３５に取り付けられている。このラッチ５３５は、バネ５４０の直径より大きな開口部を有する。そのため、前記押しボタンを押すと、バネが下方向にラッチ内の開口部と整列され、それによって前記針部材の後方への引き込みを可能にする。
【００５３】
前記ハウジングの前端は全体として閉塞しており、針部材５４５が内部を貫通して延出する小径の開口部を有している。ノーズシール５２７は、引き込み時、このノーズシールが前方開口部を密閉して液体が針アセンブリから漏出するのを防止するよう、前方開口部に隣接したハウジング内に配置されている。
【００５４】
略円柱型をした針用チャンバー５３０はハウジング内に配置されており、後方ハウジング５２０と前方ハウジング５２５との間に延びている。後方ハウジング５２０の後端は全体として開放されており、針アセンブリ５１０を医療用装置に取り付けるため、ルアーコネクタ５２２などのコネクタを形成している。ルアーコネクタ５２２に隣接した端壁５２４は、液体およびガイドワイヤ５１５、またはそのいずれかが内部を流通できる小径の開口部を有している。
【００５５】
バルブ５５０は、針部材５４５の後端に取り付けられている。このバルブは、針部材５４５が引き込まれる際に針部材内の残留液体が針部材の前端から吐出されるのを防ぐよう動作する。またバルブ５５０は、針部材の後端でガイドワイヤを開口部と整列させてガイドワイヤを針部材内へねじ込むため、後方に面しテーパーがかかった表面を有している。
【００５６】
第６装置
図２３と図２４とを参照すると、第６安全医療用装置が図示されている。この装置は、引き込み可能な針部材６６０を有する皮下注射器６１０である。この注射器は、針部材６６０を突出位置でリリース自在に保持する針リテイナー６４０を含む。プランジャ６３０は、この針リテイナーと協動して針部材６６０を使用後にリリースするよう構成されている。
【００５７】
注射器６１０は、中空内部を有する略円柱型をしたシリンダ型外筒６２０を含み、この外筒はプランジャ６３０を受容するための開放された後端を有している。外筒６２０の前端は内方向にテーパーがかかっており、ノーズを形成している。プランジャ６３０は外筒内で軸方向に移動自在であり、外筒の内壁と液密なシールを形成している。
【００５８】
プランジャは中空内部を有しており、針部材６６０をその引き込み後に受容するためのキャビティ６３２を有している。プランジャの前端は、針部材６６０をその引き込み後に受容するためのサイズを有した開口部を有している。分離自在なプラグ６３４は、プランジャの前端で開口部を密閉し、外筒への薬物吸引中または注射時の薬物吐出中に液体がキャビティ６３２に侵入するのを防ぐ。この実施形態において、プラグ６３４は摩擦力によりプランジャと係合する。あるいは、プラグ６３４は分離自在にプランジャと係合する。いずれの場合でも、プランジャとプラグとの連結は注射中プラグにかかる水圧より強い。
【００５９】
針部材６６０は患者の皮膚を刺すための尖った先端を有し、この針部材の尖った先端が使用のため露出される突出位置と、汚染された針部材を不慮の接触から守るためこの針部材がプランジャキャビティ６３２内に配置される引き込み位置との間で動作可能である。針部材６６０に接着されているバネ６５５は、針部材を引き込み位置方向へ付勢する。針リテイナー６４０は、バネの付勢力に抗して針部材６６０をリリース自在に保持する。
【００６０】
針リテイナー６４０は孔部を有している。この針リテイナーの孔部内に配置された針シール６３５は、このシールと針リテイナーとの間に液密なシールを提供する。シール６３５はカップ形状の要素で、実質的に開放された前端と実質的に閉塞した後端とを有する。液体流通路は、シール６３５のこの閉塞した後端内部を貫通して延びている。
【００６１】
バネ６５５は、針部材が液体流通路に隣接するよう針部材６６０をシール６３５の閉塞した端に向かって付勢する。これにより、針部材６６０の孔部はシールの液体流通路に整列される。
【００６２】
円周方向リブ６３７は、シール６３５の円周から放射状に外方向へ突出し、前記針リテイナーの孔部と係合する。このリブ６３７は、前記針リテイナーと前記シールとの間で前記外筒から液体が漏出しないよう、シール６３５と針リテイナーの孔部との間に液密なシールを提供する。また、針リテイナー６４０は、この針リテイナーを受容するよう形成された外筒のノーズ内の凹部とスナップフィットを形成する外周フランジ６４４を有している。フランジ６４４と外筒の内壁との係合は、針リテイナーと外筒の壁との間で外筒から液体が漏出しないよう、液密なシールを形成する。
【００６３】
針リテイナー６４０は、軸方向に長い複数の放射状変形フィンガー６４２を有する。これらフィンガーの端は、針シール６３５と係合するホックまたはラッチを形成している。針部材６６０は針シール６３５に隣接しているため、前記針リテイナーは針部材６６０を針シール６３５とともに保持する。フィンガー６４２の後面は放射状に外方向へテーパーがかかっており、プランジャ６３０の前端は前記フィンガーのテーパーがかかった面と協動するよう、テーパーがかかっている。このようにして、注射終了時、プランジャ６３０のテーパー面はフィンガー６４２のテーパー面と係合し、ウェッジのように作用してフィンガー６４２を針シール６３５との係合から外し放射状に外方向へ変形する。プランジャが前方移動されるに伴い、プランジャ端部のプラグ６３４は針シール６３５と係合し、この針シールはプラグ６３４をプランジャの開口部から取り外す。これにより、キャビティへのアクセスが提供される。それに伴い、前記針リテイナーが前記針シールをリリースした後、バネ６５５は前記針部材と、前記針シールと、前記プラグとをプランジャのキャビティ内へ後方に推進する。
【００６４】
第７装置
図２５を参照すると、第７安全医療用装置が図示されている。この装置は、引き込み可能な針部材７６０を有する皮下注射器７１０である。この注射器７１０は、図２３と図２４に図示された注射器に類似したものである。詳しくは、注射器７１０は、図２３と図２４とに示され上記で説明された注射器の外筒６２０と、プランジャ６３０と、針リテイナー６４０とに実質的に類似して構成された外筒７２０と、プランジャ７３０と、針リテイナー７４０とを有している。
【００６５】
図２５の注射器７１０は、次の点で注射器６１０と異なる。注射器７１０は前記針部材を受容するための孔部を有する軸方向に長い針シール７３５を含んでおり、この針部材は孔部内でこの針シールに固着されている。この針シールは、前記針シールと針リテイナー７４０の孔部との間に液密なシールを形成する円周方向リブ７３７を含んでおり、これは上記注射器６１０と類似している。
【００６６】
注射器７１０は、外筒の前端に配置された作動装置７５０も有する。この作動装置７５０はディスク状の部材で、テーパー面７５２を有しその前面から突出している。このテーパー面７５２は、前記針リテイナーと協動して針リテイナーフィンガー７４２を放射状に外方向へ変形し針部材をリリースするよう構成されている。前記作動装置は、プランジャ７３０の前端と針リテイナー７４０の後端との間に配置されている。
【００６７】
このため、注射終了時、前記プランジャは作動装置７５０と係合し、テーパー面７５２が針リテイナー７４０と係合して前記針部材をリリースするよう作動装置７５０を軸方向に前方移動する。また、プランジャのキャビティ７３２への開口部を密閉するプラグ７３４は針シール７３５と係合し、これにより針シール７３５はプランジャが前方移動されるに伴い前記プラグを取り外す。従って、前記針部材が前記針リテイナーによりリリースされた後、針部材の尖った先端が不慮の接触から守られるよう、バネ７５５はこの針部材をプランジャのキャビティ内の引き込み位置へ後方移動する。
【００６８】
第８装置
図２６〜２８を参照すると、第８安全医療用装置が図示されている。この装置は、引き込み可能な針部材８６０を有する皮下注射器８１０である。この注射器は、図２５に図示された注射器に類似したものである。詳しくは、注射器８１０は、図２５に示され上記で説明された注射器の外筒７２０と、プランジャ７３０と、針シール７３５とに実質的に類似して構成された筒８２０と、プランジャ８３０と、針シール８３５とを有している。
【００６９】
図２６〜２８の注射器８１０は、次の点で注射器７１０と異なる。注射器８１０はコレットタイプの針リテイナー８４０と、この針リテイナーと協動する保持カラー８５０とを含んでいる。詳しくは、この針リテイナーは、針シール８３５の側部に係合する係合表面を有する軸方向に長い複数のフィンガー８４２を有している。これらのフィンガー８４２は、針シール８３５から離れるように放射状に外方向へ付勢される。保持カラー８５０は、バネ８５５の後方への付勢力に抗して前記針部材を保持するため、フィンガー８４２を内方向へ保持して針シールと係合させる。詳しくは、保持カラー８５０は、実質的に針シール８３５の直径とフィンガー８４２の厚さを足した寸法以下の内径を有する。このように、フィンガー８４２はコレットのように作用して摩擦力により針シールと係合する。
【００７０】
注射終了時、プランジャ前端のプラグ８３４は針シール８３５により取り外される。針リテイナー８４０が前記針シールと係合している場合、プランジャ８３０前端の開口部の直径は針リテイナー８４０の直径より大きい。このため、前記プランジャが前方移動されるに伴い、このプランジャは前記針リテイナーを覆いながら進行し、保持カラー８５０を前方に推進する。保持カラー８５０が前方移動されるに伴い、フィンガー８４２は針部材を放射状に外方向へリリースするようリリースされる。次にバネ８５５は、図２８に示すとおり、針部材の尖った先端が不慮の接触から守られるよう前記針部材をプランジャ内へ後方に推進する。また、開口部に隣接したプランジャの内部は、放射状に外方向へテーパーがかけられていることが好ましい。フィンガー８４２の外面は、前記プランジャの内部テーパー面と係合してこのプランジャの後方移動を妨げることにより、このプランジャを外筒内にロックする。
【００７１】
第９装置
図２９〜３５を参照すると、第９安全医療用装置が図示されている。この装置は、引き込み可能な針部材９６０を有する液体試料採取装置９１０である。この装置は、患者の動脈から血液試料を採取するのに特に適している。
【００７２】
装置９１０はハウジング９２０と、このハウジングから前方に突出した針部材９６０とを含んでいる。バネ９５５は針部材の尖った先端がハウジング内に収納される引き込み位置方向へ針部材を後方に付勢する。針リテイナー９５５はハウジングの開口部またはソケット９２１に係合するラッチ形状をしており、前記針部材を突出位置でリリース自在に保持する。針リテイナー９５５は、ハウジング９２０とともに配置されている載置胴部９５２と一体的に形成されている。ピストンまたはシール９７０は載置胴部９５２上に載置される。
【００７３】
ピストン９７０は、前記ハウジング内部に配置されたシリンダ型外筒９４０の内部と液密なシールを形成する。図３０〜３２に示すとおり、外筒９４０は、各種サイズの液体チャンバーを形成するためハウジング９２０と相対的に移動自在である。この液体チャンバーは針部材９６０と液体流通自在である。
【００７４】
チェックバルブ９８０は、ピストン９７０内に配置されていることが好ましい。チェックバルブ９８０は、液体が針部材９６０内を流通して液体チャンバーへ流れることを可能にする。この実施例では、前記チェックバルブはボールタイプのチェックバルブである。詳しくは、このチェックバルブは、液体を針部材９６０から受容するための吸引ポート９８２と、液体を液体チャンバーへ吐出するための吐出流通路９８４とを有する。フラストコニカルバルブシートは、吸引ポート９８２に隣接して形成されている。ピストン９７０が外筒と相対的に後方移動された場合は、チェックボール９８６が前記バルブシートに入り液体が針部材内を流通してチャンバーから流出するのを防止する。
【００７５】
針部材９６０の引き込みは手動でボタンを押すことにより作動され、これにより針リテイナー９５５ラッチがハウジング９２０から取り外される。次にバネ９６５は、針リテイナー９５５と、載置胴部９５２と、外筒９４０とを液体試料とともに後方へ推進する。
【００７６】
外筒９４０が後方移動されるに伴い、外筒の前方壁外部上の外周フランジ９４４は、ハウジング９２０と入れ子状に係合するスリーブ９３０から放射状に内方向へ突出する内部環状フランジ９３２に係合する。前記外筒がさらに後方移動するに伴い、載置胴部９５２に連結された一対のロッキングタイン９５７が前記ハウジング内のロッキングウィンドウ９２６に係合するまでスリーブ９３０も後方移動され、これによりそれ以上前記スリーブと、前記外筒と、前記針部材と、前記載置胴部とが後方移動するのが防止される。ロッキングタイン９５７は軸方向アラインメントグルーブ９２５に前記ハウジングの内部で係合し、これにより胴部９５２が引き込み中前記ハウジングと相対的に回転するのが防止されることが好ましい。テレスコーピングスリーブ（望遠鏡状に入れ子になっているスリーブ）９３０では、使用済み針部材を収納するのに十分に長い囲いを提供しながら、より短いハウジングが使用可能になる。
【００７７】
図３３と図３４を参照すると、針部材９６０が引き込まれた後、液体は外筒９４０内の前記液体チャンバーから吐出可能になる。詳しくは、外筒の後端は、液体が内部を流通して吐出されることができる小径の開口部を有する。前記外筒の後端は、血液ガス測定装置などの診断装置と協動するため、ルアーコネクタなどのコネクタ９４２を形成している。前記外筒の後端の開口部は、空気抜きキャップ９４５により密閉される。この空気抜きキャップ９４５は、ルアーコネクタと係合して液密なシールを形成する。また、この空気抜きキャップは、前記外筒から空気が流出できるようにし血液が外筒後部の開口部から漏出するのを防ぐ多孔性のプラグ９４８を含む。このようにして、血液試料は吸引され、密閉状態で維持され、空気による汚染を受けずに診断装置へ注入されることが可能になる。
【００７８】
第１０装置
図３６〜４０を参照すると、第１０安全医療用装置が図示されている。この装置１０１０は、針部材を使用後に覆うためのシールド１０４０を有する注射器である。シールド１０４０は、前記注射器の外筒１０２０の周囲を覆っている。バネ１０５５はシールド１０４０を前方に付勢する。図３６Ａに示すとおり、前記外筒の側部に形成されたデテント１０２５は、針部材１０５０が使用のため露出されるよう、前記シールド内の凹部１０４９と協動して前記バネの付勢に抗してこのシールドを引き込み位置で保持する。前記外筒の前端は全体として開放されている。
【００７９】
別個のキャップまたはノーズピース１０３０は、外筒の前端に取り付けられている。このキャップは、ルアーコネクタ１０３２の形で先端を形成している小径の開口部を有している。このように、このキャップは、前記外筒の前端が実質的に閉塞するようこの前端を収納する。
【００８０】
キャップ１０３０は、図３６Ｂに示すとおり、このキャップまたはノーズピースが前記外筒とスナップフィット連結を形成するよう、複数の環状干渉シール１０３４により前記外筒の前端に取り付けられている。
【００８１】
図３８を参照すると、注射終了時、プランジャ１０３５前端における前記ピストンは前記ノーズピースに係合する。前記プランジャが継続的に進行するとこのノーズピースは前方移動され、これにより前記シールドが前方に推進されて、次に前記外筒上の前記デテントと前記シールド上の前記凹部との係合が外れる。次に前記バネは、この針部材の尖った先端が前記シールド内に収納されて汚染された針部材への不慮の接触が防止されるよう、前記針部材を覆いながら前記シールドを進行させる。図３９に示すとおり、前記シールドは、使用後にシールドの引き込みを防ぐロッキングタブ１０４２を含むことが好ましい。
【００８２】
第１１装置
図４１〜４３を参照すると、第１１安全医療用装置が図示されている。この第１１装置は注射器である。この第９代替実施形態は、図２１〜２３に図示されさらに上記で説明されている実施形態に類似したものである。図４１に示すとおり、この装置は、前記針部材の尖った先端が前記外筒から前方に延出するよう、バネの付勢力に抗してこの針部材を突出位置でリリース自在に保持する針リテイナーを含んでいる。この針リテイナーは、環状外部に分離自在に取り付けられた中央部分またはハブを有するディスクの形をしている。この針リテイナーの中央ハブは、前記針部材の後端に取り付けられている。注射終了時、前記プランジャの前端は針リテイナーに係合する。さらにこのプランジャが進行すると、前記針リテイナーの前記環状外部は、前記針部材に取り付けられた中央ハブから分離する。また、前記プランジャの前端におけるプラグまたはシールが移動され、前記プランジャの中空内部へつながる開口部が確立される。
【００８３】
前記針リテイナーが割れた後、前記バネが前記針部材とそれに取り付けられたハブを前記ハウジング内、より詳しくは前記プランジャ内へ後方に推進するよう、前記針部材がリリースされる。また、前記プランジャは、引き込みの作動後に前記プランジャの吸引を妨げる１方向性のロックを提供する複数の放射状変形弾性ラッチアームを含むことが好ましい。このラッチは、外筒の内面上の環状段部と係合する。
【００８４】
本明細書で使用する用語および表現は、記述目的のものであり、制限目的のものではない。ここに示し説明している機能と同等のいかなる機能を排他する用語および表現も、使用する意図はない。ただし、本発明の要旨を変更しない範囲で種々の変形が可能なことが認められている。
【００８５】
本発明のすべての目的は、以下の添付の図面を参照することでより完全に示される。
【図面の簡単な説明】
【図１】  針部材が使用後に引き込み可能な第１有針医療用装置の断面図。
【図２】  図１に示した医療用装置に薬物が吸引された状態を示す断面図。
【図３】  図１に示した医療用装置の針部材引き込みの直前を示す断面図。
【図４】  図１に示した医療用装置の引き込み後を示す断面図。
【図５】  図１に示した医療用装置の引き込み後を示す断面図。
【図６】  針部材が使用後に引き込み可能な第２有針医療用装置を示す断面図。
【図７】  図６に示した医療用装置の引き込み後を示す断面図。
【図７Ａ】  図７に示した医療用装置の拡大部分図。
【図８】  図６に示した医療用装置の一部破断部を有する斜視図。
【図８Ａ】  図８に示した医療用装置において参照符号Ａで参照する部分の拡大部分斜視図。
【図８Ｂ】  図８に示した医療用装置において参照符号Ｂで参照する部分の拡大部分斜視図。
【図９】  図６に示した医療用装置の引き込み後を示す一部破断部を有する斜視図。
【図１０】  図６に示した医療用装置の一部破断部を有する分解組立斜視図。
【図１１】  シールドが針部材を使用後に覆う第３有針医療用装置の断面図。
【図１２】  図１１に示した医療用装置の平面図。
【図１３】  図１１に示した医療用装置の斜視図。
【図１４】  図１１に示した医療用装置のシールド進行直前を示す断面図。
【図１５】  図１１に示した医療用装置のシールド進行後を示す断面図。
【図１６】  シールドが針部材を使用後に覆う第４有針医療用装置の断面図。
【図１７】  図１６に示した医療用装置のシールド進行直前を示す断面図。
【図１８】  図１６に示した医療用装置のシールド進行後を示す断面図。
【図１９】  図１６に示した医療用装置の拡大部分断面図。
【図２０】  図１７に示した医療用装置の拡大部分断面図。
【図２１】  針部材が使用後に引き込み可能な第５有針医療用装置の断面図。
【図２２】  図２１に示した医療用装置の引き込み後を示す断面図。
【図２３】  針部材が使用後に引き込み可能な第６有針医療用装置の部分断面図。
【図２４】  図２３に示した医療用装置の拡大部分断面図。
【図２５】  針部材が使用後に引き込み可能な第７有針医療用装置の部分断面図。
【図２６】  針部材が使用後に引き込み可能な第８有針医療用装置の部分断面図。
【図２７】  図２６に示した医療用装置の引き込み直前を示す断面図。
【図２８】  図２６に示した医療用装置の引き込み後を示す断面図。
【図２９】  針部材が使用後に引き込み可能な第９有針医療用装置の断面図。
【図３０】  図２９に示した医療用装置の断面図。
【図３１】  図３０に示した医療用装置の液体試料採取後を示す断面図。
【図３２】  図２９に示した医療用装置の引き込み後を示す断面図。
【図３３】  図３０に示した医療用装置の液体試料吐出後を示す断面図。
【図３４】  図３０に示した医療用装置のピストンを示す拡大斜視図。
【図３５】  図３０に示した医療用装置の分解組立斜視図。
【図３６】  シールドが針部材を使用後に覆う第１０有針医療用装置の部分断面図。
【図３６Ａ】  図３６に示した医療用装置において参照符号Ａで参照する部分の拡大部分断面図。
【図３６Ｂ】  図３６に示した医療用装置において参照符号Ｂで参照する部分の拡大部分断面図。
【図３７】  図３６に示した医療用装置の断面図。
【図３８】  図３６に示した医療用装置のシールド進行直前を示す断面図。
【図３９】  図３６に示した医療用装置のシールド進行後を示す断面図。
【図４０】  図３６に示した医療用装置の分解組立斜視図。
【図４１】  針部材が使用後に引き込み可能な第１１有針医療用装置の断面図。
【図４２】  図４１に示した医療用装置の引き込み後を示す断面図。
【図４３】  図４１に示した医療用装置の拡大部分断面図。
【図１】
0004722365.tif 000002
【図２】
0004722365.tif 000003
【図３】
0004722365.tif 000004
【図４】
0004722365.tif 000005
【図５】
0004722365.tif 000006
【図６】
0004722365.tif 000007
【図７】
0004722365.tif 000008
【図７Ａ】
0004722365.tif 000009
【図８】
0004722365.tif 000010
【図８Ａ】
0004722365.tif 000011
【図８Ｂ】
0004722365.tif 000012
【図９】
0004722365.tif 000013
【図１０】
0004722365.tif 000014
【図１１】
0004722365.tif 000015
【図１２】
0004722365.tif 000016
【図１３】
0004722365.tif 000017
【図１４】
0004722365.tif 000018
【図１５】
0004722365.tif 000019
【図１６】
0004722365.tif 000020
【図１７】
0004722365.tif 000021
【図１８】
0004722365.tif 000022
【図１９】
0004722365.tif 000023
【図２０】
0004722365.tif 000024
【図２１】
0004722365.tif 000025
【図２２】
0004722365.tif 000026
【図２３】
0004722365.tif 000027
【図２４】
0004722365.tif 000028
【図２５】
0004722365.tif 000029
【図２６】
0004722365.tif 000030
【図２７】
0004722365.tif 000031
【図２８】
0004722365.tif 000032
【図２９】
0004722365.tif 000033
【図３０】
0004722365.tif 000034
【図３１】
0004722365.tif 000035
【図３２】
0004722365.tif 000036
【図３３】
0004722365.tif 000037
【図３４】
0004722365.tif 000038
【図３５】
0004722365.tif 000039
【図３６】
0004722365.tif 000040
【図３６Ａ】
0004722365.tif 000041
【図３６Ｂ】
0004722365.tif 000042
【図３７】
0004722365.tif 000043
【図３８】
0004722365.tif 000044
【図３９】
0004722365.tif 000045
【図４０】
0004722365.tif 000046
【図４１】
0004722365.tif 000047
【図４２】
0004722365.tif 000048
【図４３】
0004722365.tif 000049